(57)【要約】【課題】  チューナホルダを安価な構造で簡単確実に係止すること。【解決手段】  チューナホルダ１０の両端に一対の翼板１５，１６が一体突設され、その一方の翼板１５の先端に爪部１５ａが一体突設され、該爪部１５ａに対向してメイン基板２にスリット１７が貫設され、他方の翼板１６の先端にビス挿通孔１８が貫設され、該ビス挿通孔１８に対向してメイン基板２にねじ孔が貫設されており、チューナホルダ１０の端子挿通孔１１をチューナ端子３Ａに嵌合させ、一方の翼板１５をメイン基板２の上面２ａに当接させると共に、爪部１５ａをスリット１７に嵌入させ、他方の翼板１６をメイン基板２の上面２ａに当接させると共に、ビス挿通孔１８を通ってねじ孔にビス２０をねじ込むことにより、チューナホルダ１０をチューナ３に取り付けた。【選択図】        図１
2009278415.tif 000002
【特許請求の範囲】
【請求項１】
フロントキャビネット及びリアキャビネットからなる合成樹脂製キャビネット内に配置
したメイン基板にチューナが固定され、該チューナの端面にチューナホルダが取り付けら
れ、そのチューナのチューナ端子がチューナホルダの端子挿通孔を通ってリアキャビネッ
トの端子取出口から外部に突出されており、その端子取出口が前記チューナホルダにより
塞がれた薄型表示装置において、前記チューナホルダの両端に一対の翼板が一体突設され
、その一方の翼板の先端に爪部が一体突設され、該爪部に対向して前記メイン基板にスリ
ットが貫設され、他方の翼板の先端にビス挿通孔が貫設され、該ビス挿通孔に対向して前
記メイン基板にねじ孔が貫設されており、チューナホルダの端子挿通孔をチューナ端子に
嵌合させ、一方の翼板をメイン基板の上面に当接させると共に、爪部をスリットに嵌入さ
せ、他方の翼板をメイン基板の上面に当接させると共に、ビス挿通孔を通ってねじ孔にビ
スをねじ込むことにより、チューナホルダをチューナに取り付けたこと特徴とする薄型表
示装置。
【請求項２】
前記他方の翼板に段部が形成され、該段部をメイン基板の端面に当接させたことを特徴
とする請求項１に記載の薄型表示装置。
【請求項３】
前記チューナホルダに当接して一方の翼板をメイン基板に向けて押し付けるための押付
片がリアキャビネットに一体突設されていることを特徴とする請求項１または２に記載の
薄型表示装置。
【発明の詳細な説明】
【技術分野】
【０００１】
本発明は、例えば液晶テレビなどの薄型表示装置に関し、特に、チューナホルダを安価
な構造で簡単確実に係止することができるようにしたものである。
【背景技術】
【０００２】
液晶テレビなどの薄型表示装置の一例を図６の斜視図に基づいて説明すると、これは、
フロントキャビネット１ａ及びリアキャビネット１ｂからなるキャビネット１内に配置し
たプリント配線基板からなるメイン基板２にチューナ３が固定され、該チューナ３に突設
したチューナ端子３Ａがリアキャビネット１ｂの凹部４の縦壁部４ａから横壁部４ｂにか
けて貫設した略Ｌ字状端子取出口５から外部に突出されている。なお、６はチューナ端子
３Ａに接続したテレビアンテナ用プラグ、７は液晶モジュ−ルなどの表示部の画面、８は
ＲＣＡ端子などの端子群である。
【０００３】
従来、前記端子取出口５を塞いで外観上の体裁を整える技術として図７〜図９に示すも
のがあり、図７は同要部の平面図、図８は同要部の正面図、図９は同要部の縦断面図であ
る。
【０００４】
図７〜図９に示すように、端子取出口５を塞ぐためにチューナホルダ１０が用いられて
おり、そのチューナホルダ１０は、端子取出口５よりも一回り大型で、該端子取出口５の
形状に合わせて縦板部１０ａと横板部１０ｂとにより略Ｌ字状に形成され、その縦板部１
０ａには端子挿通孔１１が貫設されている。
【０００５】
組立手順を説明すると、チューナホルダ１０の端子挿通孔１１をチューナ端子３Ａに嵌
合させ、横板部１０ｂを液晶モジュ−ルなどの表示部のリアフレーム１２に当接または接
近させ、チューナ端子３Ａにナット１３を螺合させることにより、チューナホルダ１０を
チューナ３の端面３ａに係止する。なお、関連する技術として特許文献１に記載したもの
がある。
【特許文献１】特開２００８−３５３０９号公報
【発明の開示】
【発明が解決しようとする課題】
【０００６】
上記従来の構成では、図７〜図９の図面上で前後方向Ｘ、左右方向Ｙ及び上下方向Ｚに
チューナホルダ１０が動かされないように、該チューナホルダ１０をナット１３でチュー
ナ３の端面３ａに固定しているだけであるから、例えば落下振動試験で薄型表示装置を所
定高さから落下させたときに、その落下の衝撃でナット１３の締め付けが緩んだり、薄型
表示装置により映像を再生したり録画しているときに、液晶モジュ−ルなどの表示部の作
動による振動がナット１３に伝わって、そのナット１３の締め付けが緩むことがあり、こ
れでは、チューナホルダ１０の固定が不充分となり、そのチューナホルダ１０に伝わった
振動により騒音が発生してユーザに不快感を与えることになる。
【０００７】
上記問題点を解消するために、チューナホルダ１０に不織布を貼付して振動を吸収した
り、チューナホルダ１０を複数のビスで固定することが行われているが、これでは、比較
的高価な不織布を用いたり、複数のビスを用いており、部品点数が増加して、コストアッ
プになる。
【０００８】
本発明は、上記従来の欠点に鑑み、チューナホルダを安価な構造で簡単確実に係止する
ことができるようにした薄型表示装置を提供することを目的としている。
【課題を解決するための手段】
【０００９】
上記目的を達成するため、請求項１に記載の発明は、フロントキャビネット及びリアキ
ャビネットからなる合成樹脂製キャビネット内に配置したメイン基板にチューナが固定さ
れ、該チューナの端面にチューナホルダが取り付けられ、そのチューナのチューナ端子が
チューナホルダの端子挿通孔を通ってリアキャビネットの端子取出口から外部に突出され
ており、その端子取出口が前記チューナホルダにより塞がれた薄型表示装置において、前
記チューナホルダの両端に一対の翼板が一体突設され、その一方の翼板の先端に爪部が一
体突設され、該爪部に対向して前記メイン基板にスリットが貫設され、他方の翼板の先端
にビス挿通孔が貫設され、該ビス挿通孔に対向して前記メイン基板にねじ孔が貫設されて
おり、チューナホルダの端子挿通孔をチューナ端子に嵌合させ、一方の翼板をメイン基板
の上面に当接させると共に、爪部をスリットに嵌入させ、他方の翼板をメイン基板の上面
に当接させると共に、ビス挿通孔を通ってねじ孔にビスをねじ込むことにより、チューナ
ホルダをチューナに取り付けたこと特徴としている。
【００１０】
請求項２に記載の発明は、請求項１に記載の発明において、前記他方の翼板に段部が形
成され、該段部をメイン基板の端面に当接させたことを特徴としている。
【００１１】
請求項３に記載の発明は、請求項１または２に記載の発明において、前記チューナホル
ダに当接して一方の翼板をメイン基板に向けて押し付けるための押付片がリアキャビネッ
トに一体突設されていることを特徴としている。
【発明の効果】
【００１２】
請求項１に記載の発明によれば、チューナホルダの一端に一体突設した一方の翼板の爪
部をメイン基板のスリットに嵌入させると共に、該チューナホルダの他端に一体突設した
他方の翼板をビスでメイン基板に止着しているので、例えば落下振動試験で薄型表示装置
を所定高さから落下させたときの衝撃が加わったとしても、該チューナホルダの固定が緩
むことがなく、そのチューナホルダを前後、左右及び上下の方向に動かないように確実に
固定することができる。
【００１３】
また、上記のようにチューナホルダの固定が緩まないから、該チューナホルダに映像を
再生したり録画しているときの振動が伝わったとしても、そのチューナホルダが振動され
ないようにして騒音を減衰させることができ、ユーザに不快感を与えることもない。
【００１４】
更に、一方の翼板の爪部をスリットに嵌入させ、他方の翼板をビスで止着するだけで、
チューナホルダをチューナに取り付けることができ、その取付操作が簡単であり、しかも
、使用するビスが１本だけでよく、振動吸収用の不織布が不要であるから、部品点数が少
なく、コストダウンを図ることもできる。
【００１５】
請求項２に記載の発明によれば、他方の翼板に形成した段部をメイン基板の端面に当接
させることにより、チューナホルダが前後方向に沿って動かないように一層確実に固定す
ることができる。
【００１６】
請求項３に記載の発明によれば、リアキャビネットに一体突設した押付片をチューナホ
ルダに当接させて一方の翼板をメイン基板に押し付けることにより、そのチューナホルダ
が上下方向に沿って動かないように一層確実に固定することができる。
【発明を実施するための最良の形態】
【００１７】
図１〜図５は本発明の実施の一形態である薄型表示装置を示すものであって、図１は同
要部の斜視図、図２は同要部の平面図、図３は同要部の正面図、図４は図３のＡ−Ａ矢視
図、図５は図３のＢ−Ｂ矢視図である。
【００１８】
この薄型表示装置は液晶テレビであって、図１〜図５に示すように、金属板からなるチ
ューナホルダ１０をメイン基板２に固定するための一対の翼板１５，１６が該チューナホ
ルダ１０の両端に一体突設されている。上記以外の構成は図６〜図９に示す構成とほぼ同
じであるから、同一部分に同一符号を付してその説明を省略する。
【００１９】
前記一方の翼板１５は、チューナホルダ１０の縦板部１０ａの一端から直角に折り曲げ
られて前後方向Ｘに沿って後方に延ばされ、その先端に爪部１５ａが略Ｌ字状に一体突設
され、該爪部１５ａに対向してメイン基板２に前後方向Ｘに沿ってスリット１７が貫設さ
れている。
【００２０】
前記他方の翼板１６は、チューナホルダ１０の横板部１０ｂの他端から左右方向Ｙに沿
って側方に面一状に延びる基板部１６ａと、該基板部１６ａの先端から折れ曲がって斜め
上方に延びる傾斜板部１６ｂと、該傾斜板部１６ｂの先端から折れ曲がって左右方向Ｙに
沿って側方に延びる中間板部１６ｃと、該中間板部１６ｃの先端から前後方向Ｘに沿って
後方に延びる先端板部１６ｄとからなり、その先端板部１６ｄと中間板部１６ｃとの間に
メイン基板２の端面２ｂに対向して段部１６ｅが形成され、先端板部１６ｄにビス挿通孔
１８が貫設され、該ビス挿通孔１８に対して上下方向Ｚに沿って対向するねじ孔１９がメ
イン基板２に貫設され、そのビス挿通孔１８を通ってねじ孔１９にビス２０をねじ込むよ
うになっている。
【００２１】
図１〜図４に示すように、リアキャビネット１ｂの裏面に一対の押付片２１が左右方向
Ｙに所定間隔をおいて一体突設されており、該各押付片２１を縦板部１０ａの側縁に当接
させて、上下方向Ｚに沿って一方の翼板１５をメイン基板２の上面２ａに押し付ける。
【００２２】
組立手順を説明すると、チューナホルダ１０の端子挿通孔１１をチューナ端子３Ａに嵌
合させ、一方の翼板１５をメイン基板２の上面２ａに当接させると共に、爪部１５ａをス
リット１７に嵌入させ、他方の翼板１６の段部１６ｅをメイン基板２の端面２ｂに当接さ
せると共に、先端板部１６ｄをメイン基板２の上面２ａに当接させ、該先端板部１６ｄの
ビス挿通孔１８を通ってメイン基板２のねじ孔１９にビス２０をねじ込む。続いてリアキ
ャビネット１ｂをフロントキャビネット１ａに嵌合させることにより（図６参照）、各押
付片２１をチューナホルダ１０の縦板部１０ａの側縁に当接させ、一方の翼板１５をメイ
ン基板２の上面２ａに押し付ける。
【００２３】
上記構成によれば、例えば落下振動試験で薄型表示装置を所定高さから落下させたとき
の衝撃が加わったとしても、チューナホルダ１０の固定が緩むことがなく、そのチューナ
ホルダ１０を前後、左右及び上下の方向ＸＹＺに動かないように確実に固定することがで
きる。
【００２４】
また、上記のようにチューナホルダ１０の固定が緩まないから、該チューナホルダ１０
に映像を再生したり録画しているときの振動が伝わったとしても、そのチューナホルダ１
０が振動されないようにして騒音を減衰させることができ、ユーザに不快感を与えること
もない。
【００２５】
更に、一方の翼板１５の爪部１５ａをスリット１７に嵌入させ、他方の翼板１６をビス
２０で止着するだけで、チューナホルダ１０をチューナ３に取り付けることができ、その
取付操作が簡単であり、しかも、使用するビス２０が１本だけでよく、振動吸収用の不織
布が不要であるから、部品点数が少なく、コストダウンを図ることもできる。
【００２６】
また更に、他方の翼板１６に形成した段部１６ｅをメイン基板２の端面２ｂに当接させ
ることにより、チューナホルダ１０が前後方向Ｘに沿って動かないように一層確実に固定
することができる。
【００２７】
しかも、リアキャビネット１ｂに一体突設した各押付片２１をチューナホルダ１０に当
接させて一方の翼板１５をメイン基板２に押し付けることにより、そのチューナホルダ１
０が上下方向Ｚに沿って動かないように一層確実に固定することができる。
【図面の簡単な説明】
【００２８】
【図１】本発明の実施の一形態である薄型表示装置の要部を示す斜視図である。
【図２】同要部の平面図である。
【図３】同要部の正面図である。
【図４】図３のＡ−Ａ矢視図である。
【図５】図３のＢ−Ｂ矢視図である。
【図６】薄型表示装置の一例を示す斜視図である。
【図７】従来例の要部を示す平面図である。
【図８】同要部の正面図である。
【図９】同要部の縦断面図である。
【符号の説明】
【００２９】
１            キャビネット
１ａ          フロントキャビネット
１ｂ          リアキャビネット
２            メイン基板
２ａ          メイン基板の上面
２ｂ          メイン基板の端面
３            チューナ
３Ａ          チューナ端子
５            端子取出口
１０          チューナホルダ
１１          端子挿通孔
１５          一方の翼板
１５ａ        爪部
１６          他方の翼板
１６ｅ        段部
１７          スリット
１８          ビス挿通孔
１９          ねじ孔
２０          ビス
２１          押付片
【図１】
2009278415.tif 000003
【図２】
2009278415.tif 000004
【図３】
2009278415.tif 000005
【図４】
2009278415.tif 000006
【図５】
2009278415.tif 000007
【図６】
2009278415.tif 000008
【図７】
2009278415.tif 000009
【図８】
2009278415.tif 000010
【図９】
2009278415.tif 000011